(57)【要約】  移動局に対してドメイン・モードを判定する方法が記述される。第１のドメイン・モードが判定される。所定のロービング基準に従って第１のドメイン・モードから第２のドメイン・モードにローブするかどうかの判定がなされる。移動局のためのパケット移動交換局ディスカバリを行う方法が、また、記述される。完全修飾ドメインネームが現在のセルのセル識別子に基づいて導出される。導出された完全修飾ドメインネームは、パケット移動交換局のインターネット・プロトコル・アドレスを判定するために使用される。【選択図】  なし【特許請求の範囲】
【請求項１】
移動局に対するドメイン・モードを判定する方法であって、
第１のドメイン・モードを判定するステップと、
所定のロービング基準に従って、前記第１のドメイン・モードから第２のドメイン・モードへローブするかどうかを判定するステップと
を備えることを特徴とする方法。
【請求項２】
前記第１のドメイン・モードと前記第２のドメイン・モードは異なるモードであり、かつ回線交換ドメイン・モードあるいは２４．００８オーバ３ＧＰＰパケット交換ネットワークモードのどちらかを備える
ことを特徴とする請求項１に記載の方法。
【請求項３】
前記ローブするかどうかを判定するステップは、パケット移動交換局によって実行される
ことを特徴とする請求項１に記載の方法。
【請求項４】
前記ローブするかどうかを判定するステップは、前記移動局がルーティングエリア間を移動する場合に実行される
ことを特徴とする請求項３に記載の方法。
【請求項５】
前記移動局は、Ｕ８−ＣＳＲシグナリングを使用して、前記パケット移動交換局と接続する
ことを特徴とする請求項４に記載の方法。
【請求項６】
前記ローブするかどうかを判定するステップは、前記移動局によって実行される
ことを特徴とする請求項１に記載の方法。
【請求項７】
前記移動局は、事前にプロビジョンされている選択基準を有している
ことを特徴とする請求項６に記載の方法。
【請求項８】
前記移動局は、前記ロービング基準をダウンロードする
ことを特徴とする請求項６に記載の方法。
【請求項９】
無線アクセスが、どのモードを選択すべきかを前記移動局に指示する
ことを特徴とする請求項１に記載の方法。
【請求項１０】
前記無線アクセスによる指示は、システム情報メッセージ内のパラメータを使用して提供される
ことを特徴とする請求項９に記載の方法。
【請求項１１】
前記ローブするかどうかを判定するステップは、パケット交換コアネットワークによって実行される
ことを特徴とする請求項１に記載の方法。
【請求項１２】
前記パケット交換コアネットワークは、３ＧＰＰパケット交換コアネットワークを備える
ことを特徴とする請求項１１に記載の方法。
【請求項１３】
移動局に対するパケット移動交換局のディスカバリを行なう方法であって、
現在のセルのセル識別子に基づいて、完全修飾ドメインネームを導出するステップと、
前記導出された完全修飾ドメインネームを使用して、パケット移動交換局のインターネット・プロトコル・アドレスを判定するステップと、
を備えることを特徴とする方法。
【請求項１４】
ドメインネームシステムクエリーが、前記導出された完全ドメインネームを前記インターネット・プロトコル・アドレスに解決するために実行される
ことを特徴とする請求項１３に記載の方法。
【請求項１５】
前記移動局によって受信されるオペレータ特定ストリングと、前記現在のセルの前記セル識別子は、前記完全修飾ドメインネームを導出するために使用される
ことを特徴とする請求項１３に記載の方法。
【発明の詳細な説明】
【技術分野】
【０００１】
本出願は、米国仮出願Ｎｏ．６０／８８４，９１４、２００７年１月１５日出願の利益を主張するものであって、前記開示は、参照されることにより本明細書に組み込まれる。
【０００２】
本発明は、回線交換ドメイン・サービスに関するものである。さらに具体的には、本発明は、パケット交換（ＰＳ）ネットワーク上で回線交換（ＣＳ）ドメイン・サービスを提供することに関するものである。
【背景技術】
【０００３】
ＬＴＥ（ロング・ターム・エボリューション）−３ＧＰＰにおける次世代無線アクセス−を導入する場合、利用できるのはパケット・ベアラのみである。これは、ＣＳドメイン内で現在提供されている広範囲のサービスが、端末が別の無線アクセスに移行するか、または２Ｇおよび３ＧネットワークにあるＣＳドメインへの並列アクセスを可能にする第２の送受信機を装備するかのいずれかでなければ、ＬＴＥ接続を使用する端末では利用できない。現行サービスには以下の例がある。
【０００４】
・プリペイド
・シグナリング識別用の正規機器
・合法的な傍受
・８００番通話、無料通話
・アナウンス
・プレミアム番号通話
・ホーム・ゾーン
・サウンド・ロゴ
・通話規制
・マルチＳＩＭ
・標準的な付加サービス
【発明の概要】
【発明が解決しようとする課題】
【０００５】
ＬＴＥを導入する場合の基本的な前提は、電気通信サービスがＩＭＳ（ＩＰマルチメディア・サブシステム）システムによって提供されることである。
【課題を解決するための手段】
【０００６】
本発明は、一般的には、移動局に対するドメイン・モードを判定する方法を記述する。１つの実施形態では、第１のドメイン・モードが判定される。第１のドメイン・モードから第２のドメイン・モードにローブするかどうかの判定は、所定のロービング基準に従って実行される。
【０００７】
本発明は、また、一般的には、移動局に対してパケット移動交換局のディスカバリを行う方法を記述する。完全修飾ドメインネームは、現在のセルのセル識別子に基づいて導出される。導出された完全修飾ドメインネームは、パケット移動交換局のインターネット・プロトコル・アドレスを決定するために使用される。
【図面の簡単な説明】
【０００８】
【図１】本発明の１つの実施形態に従ってパケット交換ネットワークを介して回線交換ドメイン・サービスを提供するためのシステムを示す図である。
【図２】本発明の１つの実施形態従う２４．００８オーバ３ＧＰＰ  ＰＳネットワークの機能アーキテクチャを示す図である。
【図３】本発明の１つの実施形態に従う制御プレーンＰＳネットワーク・プロトコル・アーキテクチャを示す図である。
【図４】本発明の１つの実施形態に従うＣＳドメイン制御プレーンに対するＭＳアーキテクチャを示す図である。
【図５】本発明の１つの実施形態に従うユーザ・プレーンＰＳネットワーク・プロトコル・アーキテクチャを示す図である。
【図６】本発明の１つの実施形態に従う２４．００８オーバ３ＧＰＰ  ＰＳネットワークの機能を実装するＭＳに対する状態図を示す図である。
【図７】本発明の１つの実施形態に従うロービング基準方法の図を示す図である。
【図８】本発明の１つの実施形態に従うパケット移動交換局ディスカバリ方法を示す図である。
【図９】本発明の１つの実施形態に従うパケット移動交換局ディスカバリ手順を示す図である。
【図１０】本発明の１つの実施形態に従うキープ・アライブ処理を示す図である。
【図１１】本発明の１つの実施形態に従うＵ８−ＣＳＲ接続確立手順を示す図である。
【図１２】本発明の１つの実施形態に従うＵ８−ＣＳＲ接続解放手順を示す図である。
【図１３】本発明の１つの実施形態に従う暗号化設定フローを示す図である。
【図１４】本発明の１つの実施形態に従うネットワーク始動回線交換シグナリングを示す図である。
【図１５】本発明の１つの実施形態に従う移動局始動回線交換シグナリングを示す図である。
【発明を実施するための形態】
【０００９】
当業者には認識されるように、本願で記載される革新的な概念は、広範囲の用途に渡って修正され、そして変更できる。したがって、特許請求の範囲は、上述の特定の典型的な教示のいずれにも限定されるべきではなく、後続の請求項によって定義される。
【００１０】
本発明の特徴として考慮される新規の特徴が、添付の請求項で詳細に説明される。しかしながら、本発明自体は、その構成および方法の動作だけでなく、付加的な目的およびその効果に関しても、添付図面と併せて解釈される場合、以下の明細書から最もよく理解されるであろう。
【００１１】
本発明の目的のために、以下の用語および定義を適用する。
【００１２】
２４．００８オーバ３ＧＰＰ  ＰＳネットワーク（24.008 over 3GPP PS network）：端末に、３ＧＰＰパケット交換ネットワーク上でまたＣＳ呼制御を利用できるようにするサービス。
【００１３】
２４．００８オーバ３ＧＰＰ  ＰＳネットワークモード（24.008 over 3GPP PS network mode）：ＮＡＳレイヤがＵ８−ＣＳＲエンティティを通して通信するＭＳの動作モード。
【００１４】
２４．００８オーバ３ＧＰＰ  ＰＳネットワークＰＭＳＣ（24.008 over 3GPP PS network PMSC）：ＣＳドメインから２４．００オーバ８３ＧＰＰ  ＰＳネットワークモードに入るパケット・ドメインに、ハンドオーバする場合のターゲットＭＳＣ、またはＰＭＳＣ。
【００１５】
２４．００８オーバ３ＧＰＰ  ＰＳネットワークサポーティングＰＭＳＣ（24.008 over 3GPP PS network supporting PMSC）：２４．００８オーバ３ＧＰＰ  ＰＳネットワークモードに入る場合にＭＳがローブ（rove）するＰＭＳＣ。
【００１６】
３ＧＰＰ  ＰＳネットワーク：３ＧＰＰパケット交換サービスの無線およびコア部分。
【００１７】
ＣＳドメイン：回線交換サービスが実行されるドメイン。このドメインは、コア・ネットワーク内のＩＰに基づくことができるが、無線アクセス上でリソースは回線ベースである。
【００１８】
ＣＳドメイン・モード：ＮＡＳレイヤに関連するＣＳがＧＥＲＡＮ  ＲＲエンティティまたはＵＴＲＡＮ  ＲＲＣエンティティのいずれかを通して通信する、ＭＳの動作モードであって、これは、通常のＣＳドメインで動作する。ＧＥＲＡＮ  ＲＲが使用される場合、ＢＳＳは標準化Ａインタフェースを使用してＣＮに接続される。ＵＴＲＡＮ  ＲＲＣが使用される場合、ＲＮＳは標準化ｌｕ−ＣＳインタフェースを使用してＣＮに接続される。
【００１９】
ディスカバリ手順（Discovery procedure）：ＭＳがいずれのＰＭＳＣにローブするべきかをディスカバリする処理。
【００２０】
ハンドオーバ：通話中の移動局が、３ＧＰＰ  ＣＳアクセス・ネットワークと２４．００８オーバ３ＧＰＰ  ＰＳネットワークとの間を移動する。
【００２１】
ハンドオーバ・イン：移動局が３ＧＰＰ  ＣＳアクセス・ネットワークから２４．００８オーバ３ＧＰＰ  ＰＳネットワークに移動する。
【００２２】
ハンドオーバ・アウト：２４．００８オーバ３ＧＰＰ  ＰＳネットワーク上から３ＧＰＰ  ＣＳアクセス・ネットワークに移動する。
【００２３】
ＰＭＳＣ：パケットＭＳＣであり、２４．００８オーバ３ＧＰＰ  ＰＳネットワークをサービスをサポートするために必要なネットワーク機能。
【００２４】
サポーティングＰＭＳＣ（Supporting PMSC）：ＭＳがローブするＰＭＳＣ。
【００２５】
ローブ・イン（Rove in）：移動局が、３ＧＰＰ  ＣＳアクセス・ネットワークから３ＧＰＰ  ＰＳネットワーク上での２４．００８に再選択する。
【００２６】
ローブ・アウト（Rove out）：移動局が、３ＧＰＰ  ＰＳネットワーク上での２４．００８から３ＧＰＰ  ＣＳアクセス・ネットワークに再選択する。
【００２７】
ロービング（Roving）：待機モードにある移動局に対して、３ＧＰＰ  ＣＳアクセス・ネットワークと３ＧＰＰ  ＰＳネットワーク上での２４．００８との間で再選択する行動。
【００２８】
シームレス：目立つ遷移が必要とされない（すなわち、エンドユーザの動作が必要でない、音声中断が短い、サービス中断が短い、到来呼が見過ごされない、パケット・セッションが維持されている、サービスが完全に同じように機能する）。
【００２９】
本発明の目的のために、以下の略語を適用する。
【００３０】
ＡＭＲ  アダプティブマルチレート（Adaptive Multi-Rate）
ＡＳ  アクセス層（Access Stratum）
ＢＳＳ  基地局サブシステム（Base Station Subsystem）
ＢＳＳＧＰ  基地局システムＧＰＲＳプロトコル（Base Station System GPRS Protocol）
ＢＳＳＭＡＰ  基地局システム管理アプリケーション部（Base Station System Management Application Part）
ＣＣ  呼制御（Call Control）
ＣＧＩ  セルグローバルアイデンティティ（Cell Global Identity）
ＣＭ  接続管理（Connection Management）
ＣＮ  コア・ネットワーク（Core Network）
ＣＳ  回線交換（Circuit Switched）
ＣＳＲ  回線交換リソース（Circuit Switched Resources）
ＣＴＭ  セルラーテキスト電話モデム（Cellular Text Telephone Modem）
ＤＮＳ  ドメインネームシステム（Domain Name System）
ＤＴＭ  デュアル転送モード（Dual Transfer Mode）
ＥＴＳＩ  欧州電気通信標準化機構（European Telecommunications Standard Institute）
ＦＱＤＮ  完全修飾ドメインネーム（Fully Qualified Domain Name）
ＧＡＤ  地理的エリア記述（Geographical Area Description）
ＧＡＮ  汎用アクセス・ネットワーク（Generic Access Network）
ＧＥＲＡＮ  ＧＳＭ  ＥＤＧＥ無線アクセス・ネットワーク（GSM EDGE Radio Access Network）
ＧＧＳＮ  ゲートウェイＧＰＲＳサポート・ノード（Gateway GPRS Support Node）
ＧＭＭ／ＳＭ  ＧＰＲＳ移動管理およびセッション管理（GPRS Mobility Management and Session Management）
ＧＰＲＳ  汎用パケット無線サービス（General Packet Radio Service）
ＧＳＭ  グローバル移動通信システム（Global System for Mobile communication）
ＧＳＮ  ＧＰＲＳサポート・ノード（GPRS Support Node）
ＨＬＲ  ホーム・ロケーション・レジスタ（Home Location Register）
ＨＰＬＭＮ  ホームＰＬＭＮ（Home PLMN）
ＨＳＰＡ  高速パケットアクセス（High Speed Packet Access）
ＩＥＴＦ  インターネットエンジニアリングタスクフォース（Internet Engineering Task Force）
ＩＭＥＩＳＶ  国際移動局機器アイデンティティおよびソフトウェア・バージョン番号（International Mobile station Equipment Identity and Software Version number）
ＩＭＳ  ＩＰマルチメディア・サブシステム（IP Multimedia Subsystem）
ＩＭＳＩ  国際移動電話加入者アイデンティティ（International Mobile Subscriber Identity）
ＩＰ  インターネット・プロトコル（Internet Protocol）
ＩＳＩＭ  ＩＭＳ加入者アイデンティティモジュール（IMS Subscriber Identity Module）
ＬＡ  ロケーションエリア（Location Area）
ＬＡＩ  ロケーションエリアアイデンティティ（Location Area Identity）
ＬＬＣ  論理リンク制御（Logical Link Control）
ＬＴＥ  ロング・ターム・エボリューション（Long Term Evolution）
ＭＡＣ  媒体アクセス制御（Medium Access Control）
ＭＭ  移動管理（Mobility Management）
ＭＳ  移動局（Mobile Station）
ＭＳＣ  移動交換局（Mobile Switching Center）
ＭＴＰ１  メッセージ転送部レイヤ１（Message Transfer Part layer 1）
ＭＴＰ２  メッセージ転送部レイヤ２（Message Transfer Part layer 2）
ＭＴＰ３  メッセージ転送部レイヤ３（Message Transfer Part layer 3）
ＮＡＳ  非アクセス層（Non-Access Stratum）
ＰＤＰ  パケット・データ・プロトコル（Packet Data Protocol）
ＰＤＵ  プロトコル・データ・ユニット（Packet Data Unit）
ＰＬＭＮ  公衆陸上移動通信ネットワーク（Public Land Mobile Network）
ＰＭＳＣ  パケットＭＳＣ（Packet MSC）
ＰＳＡＰ  公的安全機関（Public Safety Answering Point）
注：ＰＳＡＰは緊急通話に応答する責を負っている緊急サービス・ネットワーク要素である。
【００３１】
ＰＳＴＮ  公衆交換電話ネットワーク（Public Switched Telephone Network）
ＱｏＳ  サービス品質（Quality of Service）
ＲＡ  ルーティング・エリア（Routing Area）
ＲＡＣ  ルーティング・エリア・コード（Routing Area Code）
ＲＡＩ  ルーティング・エリアアイデンティティ（Routing Area Identity）
ＲＡＴ  無線アクセス技術（Radio Access Technology）
ＲＬＣ  無線リンク制御（Radio Link Control）
ＲＯＨＣ  ロバストヘッダ圧縮（Robust Header Compression）
ＲＲＣ  無線リソース制御（Radio Resource Control）
ＲＴＰＣ  リアルタイム制御プロトコル（Real Time Control Protocol）
ＲＴＰ  リアルタイム・プロトコル（Real Time Protocol）
ＳＣＣＰ  シグナリング接続制御部（Signaling Connection Control Part）
ＳＧＳＮ  サービングＧＰＲＳサポート・ノード（Serving GPRS Support Node）
ＳＩＭ  加入者アイデンティティモジュール（Subscriber Identity Module）
ＳＭＬＣ  サービング移動通信ロケーション・センタ（Serving Mobile Location Center）
ＳＭＳ  ショート・メッセージ・サービス（Short Message Service）
ＳＮＤＣＰ  サブネットワーク依存コンバージェンス・プロトコル（Sub-Network Dependent Convergence Protocol）
ＳＳ  シグナリングサブシステム（Signaling Subsystem）
ＴＦＯ  タンデム・フリー・オペレーション（Tandem Free Operation）
ＴｒＦＯ  トランスコーダ・フリー・オペレーション（Transcoder Free Operation）
ＴＴＹ  テキスト電話またはテレタイプライタ（Text Telephone or TeletYpewriter）
ＵＤＰ  ユーザ・データグラム・プロトコル（User Datagram Protocol）
ＵＭＴＳ  ユニバーサル移動体通信システム（Universal Mobile Telecommunication System）
ＶＬＲ  訪問先ロケーション・レジスタ（Visited Location Register）
ＶＰＬＭＮ  訪問先公衆陸上移動通信ネットワーク（Visited Public Land Mobile Network）
図１は、パケット交換ネットワーク上で回線交換ドメイン・サービスを提供するためのシステム１００を示している。これまでは、ロング・ターム・エボリューション無線アクセス１３０を使用する移動局１１０は、ＭＳＣに基づくＣＳドメイン・サービスを使用するために、別のネットワーク、例えば、２Ｇ／３Ｇネットワーク１２０にアクセスする必要があった。本発明は、移動局１１０が、ロング・ターム・エボリューション（ＬＴＥ）ネットワーク１３０上にあるか、または他のパケットに基づくアクセスが使用されている場合もまた、ＭＳＣに基づくＣＳドメイン・サービスを使用することを可能にする。本発明の明細書では、例として、第三世代パートナーシップ・プロジェクト（３ＧＰＰ）アクセスを使用する。ここで、他のアクセスタイプ、例えば、３ＧＰＰ２およびＷｉＭａｘもまた、本発明に適用できることであることに注意すべきである。このことは、ＣＳドメイン、例えば、回線交換コア・ネットワークＣＳ  ＣＮ１６０に対する制御プレーン情報１８０およびユーザ・プレーン情報１９０の全てが、３ＧＰＰ  ＰＳネットワーク１４０を介してトンネルされることを意味する。公衆交換電話ネットワーク（ＰＳＴＮ）１７０に関連するサービスは、また、ＣＳ  ＣＮ１６０を経由してアクセス可能である。
【００３２】
制御プレーン情報１８０は、パケット交換ネットワーク１４０を介してネットワークコントローラ１９４へトンネルされる。ネットワークコントローラ１９４は、スタンドアローン装置である場合があり、または移動交換局サーバ（ＭＳＣ−Ｓ）１９６の構成要素である場合がある。ユーザ・プレーン情報１９０は、パケット交換ネットワーク１４０を介し得インターワーキングユニット（ＩＷＵ：inter working unit）１９２へトンネルされる。ＩＷＵ１９２は、スタンドアローン装置であっても良く、または回線交換ドメイン・メディア・ゲートウェイ（ＣＳ−ＭＧＷ）１９８の構成要素であっても良い。ネットワークコントローラ１９４、ＭＳＣ−Ｓ１９６、ＩＷＵ１９２およびＣＳ−ＭＧＷ１９８は、全てパケット移動交換局（不図示）内に設置されている。
【００３３】
他の可能なＰＳトラフィック１８２の全ては、パケット・データ・ネットワーク１５０に向けてトランスポートされるであろう。図は、使用されている３ＧＰＰ  ＰＳアクセスに対する例として、ＬＴＥ１３０を示している。他には、例えば、拡張ＧＳＭ／ＧＰＲＳ、ＵＭＴＳ／ＨＳＰＡおよびＷｉＭａｘがありうる。図１のＬＴＥ例は、また、アクセス・ゲートウェイ（ＡＧＷ）１４４を示している。ここで、本発明は、３ＧＰＰアクセスを参照しているが、当業者は、任意のパケットに基づくアクセスが利用可能であるということに注意すべきである。ＡＧＷ１４４は、拡張ＧＳＭ／ＧＰＲＳおよびＵＭＴＳ／ＨＳＰＡの場合、ＧＧＳＮに対応するノードである。現行の規格（３ＧＰＰ  ２３．４０１）では、ＡＧＷは、サービングゲートウェイおよびＰＤＮゲートウェイ（パケット・データ・ネットワーク・ゲートウェイ）で構成される。
【００３４】
図２は、２４．００８オーバ３ＧＰＰ  ＰＳネットワークの機能アーキテクチャ２００の１つの実施形態を示している。移動局（ＭＳ）２０５は、２４．００８オーバ３ＧＰＰパケット交換（ＰＳ）ネットワーク２２０へアクセスするための機能を有している。
【００３５】
パケット移動交換局（ＰＭＳＣ）２２５は、移動交換局（ＭＳＣ）と比べて新規の機能を有している。ＰＭＳＣ２２５は、２４．００８オーバ３ＧＰＰ  ＰＳネットワークサービスを処理できる。１つの実施形態では、ＰＭＳＣ２２５はインタフェース（Ｕ８）２１７を処理し、これは、移動局２０５とＰＳネットワーク２２０を介するＰＭＳＣ２２５との間のインタフェースである。１つの実施形態では、ＰＭＳＣ２２５は、一定のＩＰサービス品質クラスをＰＳネットワークからリクエストできる。ＰＭＳＣ２２５は、４つの機能構成要素に分割可能で、これは、ＭＳＣサーバ２４０、ネットワークコントローラ２３０、例えば、２４．００８オーバ３ＧＰＰネットワークコントローラ（８ＰＳＣ）、インターワーキングユニット（ＩＷＵ）２３５およびメディア・ゲートウェイ２４５、例えば、ＣＳドメイン・メディア・ゲートウェイ（ＣＳ−ＭＧＷ）である。ネットワークコントローラ２３０およびＩＷＵ２３５は、スタンドアローン・ユニットであっても良く、またはＭＳＣサーバ２４０およびＣＳ−ＭＧＷ２４５、それぞれの一部であっても良い。
【００３６】
ネットワークコントローラ１９４、２３０は、Ｕ８インタフェースの制御プレーン部（すなわち、Ｕ８ｃインタフェース）を終端する。ネットワークコントローラ２３０は、ｌｕ−ＣＳインタフェースに向けのシグナリングが試行される前に、オプションとして、ユーザ、例えば、ＭＳ２０５を認証する。ネットワークコントローラ２３０は、また、ポリシーおよび課金ルール機能（ＰＣＲＦ）２５０にリソースをリクエストする責を負う。
【００３７】
ＩＷＵ１９２、２３５は、Ｕ８インタフェースのユーザ・プレーン部（すなわち、Ｕ８ｕインタフェース）を終端し、そして、リアルタイム・プロトコル（ＲＴＰ）からのメディア・ストリームをＲＴＰ内のＮｂ（Ｎｂは、３ＧＰＰ  ＣＳドメインにおけるメディア・ゲートウェイ間のインタフェースである）フレーミングに詰め直す（repacking）責を負っている。オプションとして、非同期転送モード（ＡＴＭ）に基づく、ｌｕ−ＣＳ上のインタフェースが使用される場合、ＩＷＵ２３５は、また、ＡＴＭとＩＰとの間でメディア・ゲートウェイの役割を果たすことになる。
【００３８】
ネットワークコントローラ２３０からの制御情報を処理することに加えて、ＭＳＣサーバ２４０は、３ＧＰＰ規格の関連仕様書で詳述されているように、ＣＳコア２１５およびＣＳアクセス２１０経由で移動局からの制御情報と、およびＣＳ−ＭＧＷ２４５からのメディア制御情報であるＭｃと、を処理する働きをする。ＩＷＵ２３５からのユーザ・プレーン情報を処理することに加えて、回線交換ドメイン・メディア・ゲートウェイ（ＣＳ−ＭＧＷ）２４５は、また、３ＧＰＰ規格の関連仕様書で詳述されているように、メディア情報を処理する働きをする。
【００３９】
ＭＳ２０５は、ネットワーク２１０と、ＧＥＲＡＮに対してはＵｍを使用して、そしてＵＭＴＳ地上無線アクセスネットワーク（ＵＴＲＡＮ）に対してはＵｕを使用して、インタフェースをとる。用語Ｕ（ｘ）は、さらに多くのインタフェースを除くことなく、ＵｍおよびＵｕの両方を示すために使用される。
【００４０】
Ａインタフェースおよびｌｕインタフェースは、アクセス・ネットワーク２１０とコア・ネットワーク２１５との間の２つの標準的なＣＳドメイン・インタフェースである。Ａインタフェースは、ＧＥＲＡＮ２１０とＭＳＣ２４０との間で使用され、そして、ｌｕ−ＣＳインタフェースは、ＧＥＲＡＮ２１０とＭＳＣ２４０との間、またはＵＴＲＡＮ２１０とＭＳＣ２４０との間のいずれかで使用されることができる。
【００４１】
Ｒｘインタフェースは、ＰＣＲＦ２５０に向けたアプリケーションによって使用されるインタフェースである。このアプリケーションは、インタフェース上で任意の付加的な機能を有していることは予見されない。
【００４２】
インタフェース２１７、すなわち、Ｕ８インタフェースは、ユーザ・プレーンＵ８ｕ１８０および制御プレーンＵ８ｃ１９０に分けられる。インタフェース２１７は、例えば、ローブするために必要な全ての制御情報およびユーザ・プレーン情報を搬送し、そして、３ＧＰＰ  ＰＳネットワーク、例えば、ネットワーク１４０、２２０を介して２４．００８ＣＳ通話を設定、維持し、そして切断するために必要な全ての制御情報およびユーザ・プレーン情報を搬送する。Ｕ８インタフェース２１７は、ＭＳ１１０、２０５とＰＭＳＣ２２５との間にある。このインタフェースは、３ＧＰＰ  ２４．００８の中で、規定された全てのＣＳサービス、例えば、モビリティ・サービス、基本呼サービスおよび付加サービスをサポートする。
【００４３】
Ｇｉインタフェースは、３ＧＰＰ  ＰＳネットワークから派生する、ＩＰに基づくインタフェースである。Ｇｉインタフェースに対する別称はＳＧｉであり、また、ＳＡＥ／ＬＴＥ  ３ＧＰＰ仕様書で使用されている。機能レベルで、ＧｉとＳＧｉとの間には何ら実際上の差異はない。１つの実施形態では、Ｇｉインタフェース（またはＳＧｉ）は、（現行の標準化に従って、Ｓ  ＧＷおよびＰＤＮ  ＧＷに分割できる）ＡＧＷ１４４を使用して実現される。ＧＰＲＳ  ＰＳネットワークを使用する別の実施形態では、Ｇｉインタフェースは、ＧＧＳＮを使用して実装される。ＷｉＭＡＸアーキテクチャを使用するさらに別の実施形態では、ＡＧＷは、アクセス・サービス・ネットワーク・ゲートウェイおよびホーム・エージェントに置き換わることができる。ＷｉＭＡＸアーキテクチャでは、Ｇｉ参照点およびＳＧｉ参照点に対応する名称はない。
【００４４】
図３は、制御プレーンＰＳネットワーク・プロトコル・アーキテクチャを示している。ＬＴＥにおける制御プレーンに対して、２４．００８オーバ３ＧＰＰ  ＰＳネットワークプロトコル・アーキテクチャの１つの実施形態が、示されている。ＧＰＲＳおよびＵＭＴＳでは、プロトコル・スタックはかなり類似しているが、異なるノード・エンティティがいくつか存在する。
【００４５】
図３に示されている実施形態は、２４．００８オーバ３ＧＰＰ  ＰＳネットワークサービスに対するＵ８ｃインタフェースの特徴を示している。３ＧＰＰ  ＰＳネットワークは、ＭＳとＰＭＳＣとの間での汎用ＩＰ接続性を提供する。この実施形態では、ＰＭＳＣは、ＳＧｉ／Ｇｉインタフェース経由で接続される。
【００４６】
ＵＤＰは、ＭＳ１１０、２０５とＰＭＳＣ２２５との間のＵ８回線交換リソース（Ｕ８−ＣＳＲ）２１７用のトランスポートを提供する。１つの実施形態では、Ｕ８−ＣＳＲは、３ＧＰＰ  ＴＳ  ４３．３１８および４４．３１８で定義されているＧＡＮ（汎用アクセス・ネットワーク）トンネリング・プロトコルに基づいている。このＵ８−ＣＳＲプロトコルは、ＩＰ接続を管理し、そして、ＧＳＭ−ＲＲプロトコルと等価な機能を実行する。移動管理（ＭＭ）および上記、例えば、ＣＣ／ＳＳ／ＳＭＳのようなプロトコルは、ＭＳ１１０、２０５とＰＭＳＣ２２５との間でトランスペアレントに実行される。ＭＳ１１０、２０５のＩＰアドレスは、２４．００８オーバ３ＧＰＰ  ＰＳネットワークサービスに対して、ＭＳ１１０．２０５と通信するために、ＰＭＳＣ２２５によって使用される。
【００４７】
図４は、ＭＳ１１０、２０５におけるＣＳドメイン制御プレーンに対するＭＳアーキテクチャを示している。接続管理（ＣＭ）レイヤは、呼制御（ＣＣ）、シグナリングサブシステム（ＳＳ）、およびショート・メッセージ・サービス（ＳＭＳ）を備える。移動管理（ＭＭ）レイヤは、対応するサービス・アクセス・ポイント（ＳＡＰ群）を使用して、ＣＭレイヤのＣＣ、ＳＳおよびＳＭＳの各サービスとインタフェースをとる。ＵＭＴＳ／ＧＳＭ−ＭＭレイヤに対する無線リソースＳＡＰ（ＲＲ−ＳＡＰ）インタフェースは、ＧＳＭ、ＵＭＴＳおよび２４．００８オーバ３ＧＰＰ  ＰＳネットワークのアクセスに対して（および存在する場合、ＧＡＮへのアクセスに対して）、完全に同じように維持される。アクセス・モード・スイッチは、ＵＴＲＡＮ／ＧＥＲＡＮモードと２４．００８オーバ３ＧＰＰ  ＰＳネットワークモード（および存在する場合、ＧＡＮ）との間を切り替えるために提供される。Ｕ８−ＣＳＲは、ハンドオーバに対する協調を提供するためにＵＴＲＡＮ−ＲＲＣ／ＧＳＭ−ＲＲとピア接続する。注：ＲＬＣ／ＭＡＣ／Ｌ１は、場合によっては、例えば、ＵＭＴＳ  ＣＳおよびＰＳ無線インタフェースで、同一になることがある。
【００４８】
図５は、ユーザ・プレーンＰＳネットワーク・プロトコル・アーキテクチャを示している。図５に示されている実施形態は、２４．００８オーバ３ＧＰＰ  ＰＳネットワークサービスに対するＵ８ｕインタフェースの特徴を示している。３ＧＰＰ  ＰＳネットワークは、ＭＳとＩＰネットワークとの間の汎用接続性を提供する。ＣＳドメイン・ユーザ・プレーンは、ＭＳとＰＭＳＣとの間でＲＴＰ／ＵＤＰを介してトランスポートされる。標準的な３ＧＰＰコーデック、例えば、ＡＭＲは、例えば、３ＧＰＰ  ＴＳ２６．０７１で仕様化されているように、２４．００８オーバ３ＧＰＰ  ＰＳネットワークモードで動作している場合にサポートされる。ＣＳデータは、ＴＡＦ（端末アダプテーション機能）−ＴＲＡＵ（トランスコーダおよびレート適応装置）（Ｖ．１１０と同様）フレームを搬送するために、新規のＲＴＰフレームを定義することによって、ＲＴＰ／ＵＤＰを介してトランスポートされ、また、ＴＴＹは、ＧＳＭコーデック上のＣＴＭを使用して、ＲＴＰ／ＵＤＰを介してトランスポートされる。無線アクセス・ネットワーク上での効率のよい音声トランスポートのための（ＲＯＨＣのような）ヘッダ圧縮は、オプションとして、３ＧＰＰ  ＰＳアクセス・ノードおよびＰＳコア・ノードによってサポートできる。
【００４９】
Ｕ８−ＣＳＲプロトコルは、ＧＳＭ−ＲＲまたはＵＴＲＡＮ−ＲＲＣと同等である、リソース管理レイヤを提供し、そして、以下の機能を提供する：ディスカバリ（discovery）、すなわち、２４．００８オーバ３ＧＰＰ  ＰＳネットワークサポーティングＰＭＳＣを選択すること、ＭＳとＰＭＳＣ（８ＰＳＣ機能エンティティ）との間でのＣＳサービスに対するＩＰベアラ・リソースの設定、ＵＴＲＡＮ／ＧＥＲＡＮと２４．００８オーバ３ＧＰＰ  ＰＳネットワークとの間でのハンドオーバ・サポート、およびページング、暗号化設定、クラスマーク変更等がある。
【００５０】
図６は、２４．００８オーバ３ＧＰＰ  ＰＳネットワークモードを実装しているＭＳに対する典型的な状態図を示している。ＭＳ内のＵ８−ＣＳＲサブレイヤは、２つの状態、Ｕ８−ＣＳＲ−ＩＤＬＥ（アイドル）またはＵ８−ＣＳＲ−ＤＥＤＩＣＡＴＥＤ（専用）にあることができ、そして、以下で定義されるように、両状態間を移動する。
【００５１】
ＭＳは、ＭＳがサービングＲＲエンティティをＵ８−ＣＳＲに切り替え、かつＭＭとＵ８−ＣＳＲとの間のＳＡＰが起動される場合、２４．００８オーバＰＳネットワークモードに入る。そして、ＭＳが２４．００８オーバ３ＧＰＰ  ＰＳネットワークモードに留まっている間、ＭＳは通常かつ定期的な位置（ロケーション）更新、および２４．００８オーバ３ＧＰＰ  ＰＳネットワークサポーティングＰＭＳＣとアプリケーション・レベルのキープ・アライブ（application level keep-alive）を行う。
【００５２】
ＭＳは、Ｕ８−ＣＳＲ接続が確立される場合、Ｕ８−ＣＳＲ−ＩＤＬＥ状態からＵ８−ＣＳＲ−ＤＥＤＩＣＡＴＥＤ状態に移動し、そして、Ｕ８−ＣＳＲ接続が解放される場合、Ｕ８−ＣＳＲ−ＩＤＬＥ状態に戻る。Ｕ８−ＣＳＲ接続が解放されると、専用（dedicated）リソースが存在しないことを示す指示が、上位レイヤに渡される。
【００５３】
ＭＳは、また、２４．００８オーバ３ＧＰＰ  ＰＳネットワークへのハンドオーバが実行されている場合、ＣＳドメイン・モードからＰＳネットワークを介して２４．００８モード内のＵ８−ＣＳＲ−ＤＥＤＩＣＡＴＥＤ状態に入ることができる。同一の方法で、ＭＳは、２４．００８オーバ３ＧＰＰ  ＰＳネットワークからのハンドオーバの場合、Ｕ８−ＣＳＲ−ＤＥＤＩＣＡＴＥＤからＣＳドメイン・モードに入る。
【００５４】
２４．００８オーバ３ＧＰＰ  ＰＳネットワークは、様々なレベルおよびインタフェースでセキュリティ・メカニズムをサポートする。３ＧＰＰ  ＰＳアクセスは、（ＰＳサービスに対して仕様化されているセキュリティ・メカニズムを使用して）サービスに対して十分安全であると想定されている。オプションとして、ＩＰｓｅｃ（ＩＰｓｅｃはＩＭＳによって使用される）は、シグナリングを安全にするために利用可能である。認証が、ＭＭレイヤ上で実行され、そして、ＰＭＳＣ（通常のＳＩＭおよびＩＳＩＭ認証手順）によって制御されることになる。
【００５５】
加えて、ＡＧＷとＰＭＳＣとの間でセキュリティを提供することが望ましい場合がある。例えば、ローミングの場合にＡＧＷがＨＰＬＭＮ内に存在し、そしてＰＭＳＣがＶＰＬＭＮ内に存在していて、そして、ＡＧＷとＰＭＳＣとの間のトラフィックに対して何らかの低レベルのセキュリティ（例えば、ＩＰｓｅｃトンネル）を提供することが適切である可能性がある。
【００５６】
図７は、１つの実施形態に従うロービング基準方法の図を示している。方法７００は、ステップ７０５から開始し、そして、ステップ７１０に進む。ステップ７１０で、第１のドメイン・モードが判定される。第１のモードが一旦判定されると、ＭＳ、例えば、ＭＳ１１０、２０５が、ＭＳがＣＳドメイン・モードであるか、または２４．００８オーバ３ＧＰＰ  ＰＳネットワークモードにあるかを判定するための方法が存在しなければならない。
【００５７】
ステップ７１５で、第１のドメイン・モードから第２のドメイン・モードにローブするかどうかの判定が、所定のロービング基準に従ってなされる。ローブすることの決定は、以下のエンティティによりなされても良い：ＰＭＳＣ、ＭＳ、無線アクセスまたは３ＧＰＰ  ＰＳ  ＣＮネットワークである。ローブすることの決定は、１つのエンティティ単独でなされても良いし、または１つ以上の他のエンティティと共同してなされても良い。
【００５８】
１つの実施形態では、ＰＭＳＣが、第１のドメイン・モードから第２のドメイン・モードにローブするかどうかを判定する。ＭＳは、常に、接続されるＧＰＲＳまたはＰＳドメインにいることになる。ルーティング・エリア更新（または、ＬＴＥに対する等価な他の概念）で、ＭＳがルーティング・エリア間を移動する、すなわち、定期的なＲＡ更新でない場合、ＭＳは、サポーティングＰＭＳＣに接続し、そして、Ｕ８−ＣＳＲシグナリングを使用してどの動作モードになるかを問い合わせるでことになる。ＰＭＳＣは、ＭＳがどのモードにいるべきかを判定するために、データベースまたは何らかの他の手段を有する場合がある。
【００５９】
１つの実施形態では、ＭＳが第１のドメイン・モードから第２のドメイン・モードにローブするかどうかを判定する。ＭＳは、事前にプロビジョンされている（pre-provisioned）選択基準を有している場合がある。例えば、ＭＳは、ＬＴＥまたはＨＳＰＡアクセス上にある場合、常に、２４．００８オーバ３ＧＰＰ  ＰＳネットワークモードにいるようになる。または、ＭＳは、ネットワーク（例えば、ＰＭＳＣまたは特別なデータベース）に連絡を取り、そして、ロービング基準、例えば、一定のセル、ＬＡ、ＲＡ、またはＴＡまたはその領域をダウンロードする。ロービング基準は、ＭＳがいずれのモードに入るか、またどこにローブ・インするかを判定する場合に使用されることになる。
【００６０】
１つの実施形態では、無線アクセスが第１のドメイン・モードから第２のドメイン・モードにローブするかどうかを判定する。無線アクセスは、ＭＳに、どのモードを選択すべきかを、例えば、システム情報メッセージの中のパラメータを介して示すことができる。
【００６１】
１つの実施形態では、３ＧＰＰ  ＰＳ  ＣＮネットワークが第１のドメイン・モードから第２のドメイン・モードにローブするかどうかを判定する。ＭＳは、例えば、ルーティング・エリア更新およびＰＤＰコンテキストの起動（アクティベーション）および修正を実行している間、３ＧＰＰ  ＰＳ  ＣＮネットワークからの応答を受信する。これらの応答は、また、３ＧＰＰ  ＰＳネットワークオペレータが、ＭＳが、２４．００８オーバ３ＧＰＰ  ＰＳネットワークモードに入ることを望んでいるかどうかを示すために使用することができる。
【００６２】
ＣＳドメイン・モードと２４．００８オーバ３ＧＰＰ  ＰＳネットワークモードとの間での再選択は、これから説明する。再選択は、（ＣＳドメイン・モードから２４．００８オーバ３ＧＰＰ  ＰＳネットワークモードへの）ローブ・イン手順、および（２４．００８オーバ３ＧＰＰ  ＰＳネットワークモードからＣＳドメイン・モードへの）ローブ・アウト手順を備える。
【００６３】
ローブ・イン手順は、ＭＳが２４．００８オーバ３ＧＰＰ  ＰＳネットワークサービスを使用するようになるということが判定される場合に適用できる。ＭＳにおけるアクセス・モードは、２４．００８オーバ３ＧＰＰ  ＰＳネットワークモードに切り替えられる。ローブ・インの必要条件は、以下である。
【００６４】
−ＭＳは、適切なサポーティングＰＭＳＣを知っている、すなわち、ＭＳがディスカバリ手順を実行している。
【００６５】
−ＭＳは、ＰＭＳＣに対する登録に成功している。登録処理は、本明細書の中で後述される。
【００６６】
上記の必要条件が全て満たされる場合、ＭＳは、２４．００８オーバ３ＧＰＰ  ＰＳネットワークモードへのローブ・インを実行することを決定することがｄけいる（すなわち、ＭＳはサービングＲＲエンティティをＵ８−ＣＳＲに切り替え、そして、ＭＭとＵ８−ＣＳＲとの間でＳＡＰが起動される）。この一環として、Ｕ８−ＣＳＲは、ＣＳサービスが利用できることを示し、そして、ＣＳドメインに対する関連ＮＡＳレベルのシステム情報をＮＡＳレイヤに渡す（すなわち、ＭＭ）。
【００６７】
この通常のＭＭ動作が続いてから、例えば、ＮＡＳに示されているＬＡＩが、ＮＡＳに示されたこれまでのＬＡＩとは異なる場合、または、ＣＳサービスがこれまで利用できていない場合、ＭＳにおけるＮＡＳレイヤは、ＰＭＳＣに対して位置更新手順を以下のようにトリガすることになる。
【００６８】
−ＭＳは、これまでにＭＳ登録を認可している２４．００８オーバ３ＧＰＰ  ＰＳネットワークサポーティングＰＭＳＣとの、Ｕ８−ＣＳＲシグナリング接続を確立する。
【００６９】
−ＰＭＳＣ（または、ＰＭＳＣの８ＰＳＣエンティティの可能性が非常に高い）が、現在のＰＳセルのセルアイデンティティを知っており、そして、ＰＭＳＣのＭＳＣサービス・エンティティに対して現在のセルアイデンティティを示す場合に、当該セルアイデンティティか、または（登録の一環としてＭＳに返信されるように）別のセルアイデンティティのいずれかを使用する。
【００７０】
２４．００８オーバ３ＧＰＰ  ＰＳネットワークモードにいる間、ＵＴＲＡＮ  ＲＲＣエンティティおよびＧＥＲＡＮ−ＲＲエンティティは、ＭＳにおいてＲＲ−ＳＡＰから切り離され、結果として、これらのエンティティは、ＵＴＲＡＮまたはＧＥＲＡＮにおいてＣＳドメインに対する任意のページングリクエストメッセージに基づいては動作しない。
【００７１】
２４．００８オーバ３ＧＰＰ  ＰＳネットワークサポーティングＰＭＳＣが登録を拒絶し、そして、別のサービング２４．００８オーバ３ＧＰＰ  ＰＳネットワークサポーティングＰＭＳＣへの再指示を提供しない場合、ＭＳは、３ＧＰＰ  ＣＳアクセス・ネットワークに戻り、そして、再試行タイマを開始することになる。このタイマがタイムアウトしている場合、ディスカバリ手順から介して、新規の登録が試行される。ＭＳがＣＳアクセス・ネットワークに戻ることができない場合、ＭＳは、これ以上ＣＳドメイン・サービスには到達することはできない。
【００７２】
ローブ・アウト手順は、ＭＳが２４．００８オーバＰＳネットワークモードにいることができない、または３ＧＰＰ  ＰＳネットワークから離脱する必要があるということをＭＳが判定する場合に、適用できる。
【００７３】
ＭＳは、ＲＲ−ＳＡＰからＵ８−ＣＳＲを切り離し、そして、ＵＴＲＡＮ  ＲＲＣまたはＧＥＲＡＮ−ＲＲをＲＲ−ＳＡＰに再接続し、そして、通常のＣＳドメインＵＴＲＡＮ  ＲＲＣまたはＧＥＲＡＮ−ＲＲ機能を復元する。その後、ＣＳサービスがローブ・アウト後に利用できる場合、通常のＣＳドメイン位置更新を続けることができる。
【００７４】
図８は、１つの実施形態に従うパケット移動交換局ディスカバリ手順を示している。方法８００は、ステップ８０５から開始し、そしてステップ８１０に進む。ステップ８１０で、完全修飾ドメインネームが現在のセルのセル識別子に基づいて導出される。ステップ８１５で、導出された完全修飾ドメインネームが、パケット移動交換局のインターネット・プロトコル・アドレスを判定するために使用される。
【００７５】
図９は、１つの実施形態に従うパケット移動交換局ディスカバリ手順を示している。２４．００８オーバ３ＧＰＰ  ＰＳネットワークをサポートするＭＳが、２４．００８オーバ３ＧＰＰ  ＰＳネットワークに接続することを試行する場合、ＭＳは、２４．００８オーバ３ＧＰＰ  ＰＳネットワークサービスをサポートするＰＭＳＣ、いわゆる２４．００８オーバ３ＧＰＰ  ＰＳネットワークサポーティングＰＭＳＣを識別する必要がある。ＰＭＳＣは、完全修飾ドメインネーム（ＦＱＤＮ）またはＩＰアドレスのみで識別されることになる。ＭＳは、現在のＰＳセルの固有の識別子（例えば、ＧＥＲＡＮセルに対するセル・グローバルアイデンティティ、ＣＧＩ、またはＵＴＲＡＮセルに対する、３ＧＰＰ  ＴＳ２５．３３１に記載されている、ＬＡＩおよび２８ビットのセルアイデンティティ）を使用するＤＮＳルックアップで受信される情報に基づいて、ＰＭＳＣのＦＱＤＮを導出できる。このセル識別子の重要な部分は、（移動電話国番号、ＭＣＣ、および移動電話ネットワークコード、ＭＮＣを構成している）私設陸上移動電話ネットワーク識別子（ＰＬＭＮ−アイデンティティ）、位置エリア・コード（ＬＡＣ）およびセルアイデンティティ部分である。位置エリアアイデンティティ（ＬＡＩ）は、ＰＬＭＮ−ＩＤおよびＬＡＣを構成し、そして、ネットワークにおけるＭＳＣ（またはＭＳＣプール）を固有に指し示すために使用することができる。加えて、ルーティング・エリア・コード（ＲＡＣ）は、また、上記の識別子と任意に組み合わせて使用されることがある。ＭＳは、現在のＰＳセルのセル識別子に基づいて（ＰＭＳＣのＦＱＤＮ以外の）ＦＱＤＮを構築することになる。
【００７６】
以下の例では、ＭＳが２４．００８オーバ３ＧＰＰ  ＰＳネットワークモードに入ることになるということを判定していると想定する。
【００７７】
１．ＭＳは、現在のセルのセル識別子に基づいてＦＱＤＮを導出する。このＦＱＤＮは、例えば、以下のフォーマットをとることができよう。例として、ＭＳが、例えば、現在のセルにおいて、ブロードキャストされるシステム情報の中に、現在のセルのセル識別子を受信していて、そして、セル識別子を次の情報を構成する：ＰＬＭＮ−アイデンティティが０１２−１２３（すなわち、ＭＣＣが０１２であり、そしてＭＮＣが１２３である）、ＬＡＣが値３４５６７を有し、セルアイデンティティが４５６７の値を有している。この場合、構築されるＦＱＤＮは、例えば、以下であることができよう。
【００７８】
−ｌａｃ３４５６７．ｍｎｃ１２３．ｍｃｃ０１２．ｐｕｂ．３ｇｐｐｎｅｔｗｏｒｋ．ｏｒｇ  または
−ｃｉ４５６７．ｌａｃ３４５６７．ｍｎｃ１２３．ｍｃｃ０１２．３ｇｐｐｎｅｔｗｏｒｋ．ｏｒｇ
一旦、ＦＱＤＮが導出されると、ＭＳは、ＦＱＤＮをＩＰアドレスに解決するために（ＩＰネットワーク経由で）ＤＮＳクエリを実行する。
【００７９】
２．ＤＮＳサーバは、関連のある、２４．００８オーバ３ＧＰＰ  ＰＳネットワークサポーティングＰＭＳＣのＩＰアドレスを含む応答を返信する。
【００８０】
ＦＱＤＮを構築する更なる別の可能性は、次の２つのステップ手法がある。ＭＳは、まず、ＰＳ接続またはＰＤＰコンテキストの起動／修正手順中に、オペレータ特定ストリングを受信することになる。このオペレータ特定ストリングは、ＭＳが別のオペレータ特定ストリングを受信するまで、現在のネットワークにおいて有効である。このストリングは、例えば、“ｏｐｅｒａｔｏｒＸ．ｃｏｍ”であることができよう。ＭＳは、ＰＭＳＣに対するＦＱＤＮを構築するために現在のセルのセルアイデンティティと併せて当該ストリングを使用する。例えば、現在のセルのＬＡＣが値３４５６７を有している上記の例を使用すると、その場合“ｌａｃ３４５６７．ｏｐｅｒａｔｏｒＸ．ｃｏｍ”が構築され、そして、ＰＭＳＣのＩＰアドレスを取得するためにＤＮＳに対して使用されるであろう。
【００８１】
１つの実施形態では、ＭＳは、適切なＰＭＳＣへの登録を実行する。ＰＭＳＣへの登録手順は、以下の機能を果たす：
・ＭＳが適切なＰＭＳＣエンティティに登録されることを、すなわち、リダイレクション処理を用いて保証する
・ＭＳは、ＰＭＳＣに、ＭＳが現時点で３ＧＰＰ  ＰＳアクセス・ネットワークを通して接続されており、そして、特定のＩＰアドレスおよびＵＤＰポートで利用できることを通知する。ＰＭＳＣは、例えば、移動局終端の呼出に対するページングのために登録コンテキストを維持する。
【００８２】
・ＭＳに、ＣＳドメインに対するＮＡＳシステム情報を提供する。
この“ＣＳに対するＮＡＳシステム情報”は、ＰＭＳＣへの登録処理中にＭＳに配信される。このことは、ＭＳに、ローブ・インし、そして登録手順に続いて、コア・ネットワークとの（例えば、位置エリア更新、移動局から発信される呼、移動局で終端される呼等のような）ＮＡＳ手順をトリガできるようにする。
【００８３】
登録は、次のステップで説明されるように実行される。
【００８４】
−ＭＳは、適切なサポーティングＰＭＳＣを知っている、すなわち、ＭＳがディスカバリ手順を実行している。
【００８５】
−ＭＳは、ＰＭＳＣへの登録を開始し、そして、ＰＭＳＣに現在のＰＳセルアイデンティティ、例えば、ＬＡＩおよびセル識別子について通知する。この情報の詳細は、使用されている３ＧＰＰ  ＰＳ  ＲＡＴに依存して変わりうる（例えば、ＧＥＲＡＮとＵＴＥＡＮではセル識別子にいくつかの差異がある）。ＭＳは、また、ＣＳサービスが現在のセル内で利用できるかどうか、およびいくつかの他の関連情報、例えば、現在のＰＳ  ＲＡＴ（ＧＰＲＳ／ＵＭＴＳ／ＨＳＰＡ／ＬＴＥ）および現在のＰＳ  ＲＡＴの既知の性能を通知する。
【００８６】
−ＰＭＳＣは登録を受け付け、そして、ＭＳに、関連のある、ＣＳドメインに対するＮＡＳレベルのシステム情報（例えば、ＭＳＣ解放インジケータ、許可された接続／離脱、（定期的な位置更新に使用される）Ｔ３２１２タイムアウト値および呼再確立が許可されるかどうか）を提供する。ＣＳドメインに対するこのＮＡＳレベルのシステム情報は、通常は、ＭＳに対してＲＡＮ内でブロードキャストされることに注意されたい。ＭＳは現時点でＰＳのみの３ＧＰＰアクセス・ネットワーク内で動作している場合があるので、ＰＭＳＣは、登録が成功する一環としてＭＳに必要な情報を提供する。
【００８７】
注：ＰＭＳＣは、また、ＭＳにローブ・イン基準を提供し、または現在の３ＧＰＰ  ＰＳ  ＲＡＴまたはセルアイデンティティ（またはその一部）、またはＭＳによって提供され、および／またはＰＭＳＣに設定されている他の情報に基づいて、登録を拒絶する場合がある。例えば、特定のＰＳ  ＲＡＴのいくつかのＬＡＩは、２４．００８オーバ３ＧＰＰ  ＰＳネットワークモードに対して使用されるべきではなく、そして、登録は拒絶される。
【００８８】
−加えて、ＰＭＳＣは、ＭＳに、２４．００８オーバ３ＧＰＰ  ＰＳネットワークモードに対するセルアイデンティティとして使用されるべき位置エリア識別子（ＬＡＩ）およびセルアイデンティティを提供する場合がある。この情報が、ＰＭＳＣから提供されない場合、ＭＳは、現在のＰＳセルの識別子を、２４．００８オーバ３ＧＰＰ  ＰＳネットワークモードに対するＬＡＩおよびＣＩとして使用する。
【００８９】
−ＰＭＳＣは、また、現在の３ＧＰＰ  ＰＳ  ＲＡＴまたはセルアイデンティティ（またはその一部）、またはＭＳによって提供され、および／またはＰＭＳＣに設定されている他の情報に基づいて、ＭＳを別のＰＭＳＣにリダイレクトする場合がある。ＰＭＳＣは、また、負荷を均衡させるために、ＭＳを別のＰＭＳＣにリダイレクトする場合がある。
【００９０】
図１０は、１つの実施形態に従うキープ・アライブ手順を示している。キープ・アライブ処理は、ＭＳが依然として２４．００８オーバ３ＧＰＰ  ＰＳネットワークモード（すなわち、状態Ｕ８−ＣＳＲ−ＩＤＬＥ内または状態Ｕ８−ＣＳＲ−ＤＥＤＩＣＡＴＥＤ内のいずれか）にあり、そして、例えば、移動局が終端している呼およびそのページングのために、ＰＭＳＣ内の登録状態を維持する（すなわち、登録され、そして接続されたままでいる）ことを望んでいるということを示すための、ピアであるＵ８−ＣＳＲエンティティ間のメカニズムである。Ｕ８−ＣＳＲのＫＥＥＰ  ＡＬＩＶＥメッセージの定期的な送信を使用して、ＭＳは、今度は、２４．００８オーバ３ＧＰＰ  ＰＳネットワークサポーティングＰＭＳＣが、現時点で確立されている下位層の接続性を使用して、依然として利用できるということを判定する。
【００９１】
１．ＭＳは、Ｕ８−ＣＳＲ  ＫＥＥＰ  ＡＬＩＶＥを、２４．００８オーバ３ＧＰＰ  ＰＳネットワークサポーティングＰＭＳＣに送信する。ＭＳは、識別情報としてメッセージの中にＴＭＳＩを含める、またはＴＭＳＩが利用できない場合、ＩＭＳＩが使用される。
【００９２】
２．ＰＭＳＣは、Ｕ８−ＣＳＲ  ＫＥＥＰ  ＡＬＩＶＥ  ＡＣＫメッセージをＭＳに送ることによって、Ｕ８−ＣＳＲ  ＫＥＥＰ  ＡＬＩＶＥメッセージに応答確認する。この応答確認は、ＵＤＰが基本的な伝送メカニズムとして使用されるので、必要である。
【００９３】
ＰＭＳＣ手順による登録解除は、（例えば、ＭＳが、通常のＣＳサービスが利用できるネットワークに入ろうとしており、そして、ＭＳがこれ以上２４．００８オーバ３ＧＰＰ  ＰＳネットワークを使用することが予想されない場合）、ＭＳが２４．００８オーバ３ＧＰＰ  ＰＳネットワークモードを離れようとしていることを、Ｕ８−ＣＳＲ  ＤＥＲＥＧＩＳＴＥＲメッセージをＰＭＳＣに送信することによって、ＭＳがＰＭＳＣに明示的にに通知することをできるようにし、そして、ＭＳに割り当てられているリソースをＰＭＳＣが解放できるようにする。
【００９４】
ＰＭＳＣは、また、ＭＳ登録コンテキストを自立的に解放し、そして、Ｕ８−ＣＳＲ  ＤＥＲＥＧＩＳＴＥＲメッセージをＭＳに送信する。
【００９５】
注:電源断時は、ＭＳのＵ８−ＣＳＲサブレイヤは、可能であれば、ＰＭＳＣ手順の登録解除が完了する前に、ＭＳが明示的にネットワークから離脱することを保証する。
【００９６】
ＭＳは、通常の位置更新手順がトリガされる場合、ローブ・イン手順後に行われうる通常のＭＭレベルの認証を使用して、２４．００８オーバ３ＧＰＰ  ＰＳネットワークサービスに対して認証される。
【００９７】
３ＧＰＰ  ＰＳネットワークの暗号化が使用されることになる。セキュリティが、また、ＡＧＷとＰＭＳＣとの間で提供されうる。
【００９８】
Ｕ８−ＣＳＲ接続は、ＭＳと、２４．００８オーバ３ＧＰＰ  ＰＳネットワークサポーティングＰＭＳＣとの間の論理接続である。Ｕ８−ＣＳＲ接続は、ＭＳ内の上位レイヤがＵ８−ＣＳＲに専用モードに入ることをリクエストする場合に、確立される。成功応答がネットワークから受信される場合、Ｕ８−ＣＳＲは、上位レイヤに、専用モードに入っていることをリプライする。上位レイヤは、それから、ネットワークへのＮＡＳメッセージの送信をリクエストする可能性がある。
【００９９】
図１１は、１つの実施形態に従うＵ８−ＣＳＲ接続確立手順を示している。図１１は、Ｕ８−ＣＳＲ接続の確立の成功を示している。
【０１００】
１．ＭＳは、Ｕ８−ＣＳＲ  ＲＥＱＵＥＳＴメッセージを２４．００８オーバ３ＧＰＰ  ＰＳネットワークサポーティングＰＭＳＣに送信することによって、Ｕ８−ＣＳＲ接続の確立を開始する。このメッセージは、Ｕ８−ＣＳＲ接続確立のための理由を示す確立要因を含んでいる。
【０１０１】
２．Ｕ８−ＣＳＲ接続確立のための理由に依存して、ＰＭＳＣは、後に続く可能性のあるシグナリングに協調できるように、ＰＣＲＦからのシグナリングベアラの修正をリクエストする場合がある。
【０１０２】
３．ＰＣＲＦからの可能応答
４．２４．００８オーバ３ＧＰＰ  ＰＳネットワークサポーティングＰＭＳＣは、Ｕ８−ＣＳＲ  ＲＥＱＵＥＳＴ  ＡＣＣＥＰＴを送信することによって、ＭＳに成功応答を信号で送信し、そして、ＭＳは、専用モードに入り、そして、Ｕ８−ＣＳＲの状態はＵ８−ＣＳＲ−ＤＥＤＩＣＡＴＥＤに変わる。
【０１０３】
５．選択的には、２４．００８オーバ３ＧＰＰ  ＰＳネットワークサポーティングＰＭＳＣは、拒絶要因を示すＵ８−ＣＳＲ  ＲＥＱＵＥＳＴ  ＲＥＪＥＣＴを返信することができる。
【０１０４】
図１２は、１つの実施形態に従うＵ８−ＣＳＲ接続解放手順を示している。図１２は、ＭＳと、２４．００８オーバ３ＧＰＰ  ＰＳネットワークサポーティングＰＭＳＣとの間での論理Ｕ８−ＣＳＲ接続の解放を示している。
【０１０５】
１．２４．００８オーバ３ＧＰＰ  ＰＳネットワークサポーティングＰＭＳＣは、ＭＳに割当られているシグナリングおよびユーザ・プレーンの接続リソースを（例えば、ｌｕ解放コマンドとして見られる可能性があるｌｕインタフェースにおいて）解放することを決定する。
【０１０６】
２．２４．００８オーバ３ＧＰＰ  ＰＳネットワークサポーティングＰＭＳＣは、Ｕ８−ＣＳＲ  ＲＥＬＥＡＳＥメッセージを使用して、シグナリングおよびユーザ・プレーンのリソースを解放するように、ＭＳに指令する。
【０１０７】
３．ＭＳは、Ｕ８−ＣＳＲ  ＲＥＬＥＡＳＥ  ＣＯＭＰＬＥＴＥメッセージを使用して、２４．００８オーバ３ＧＰＰ  ＰＳネットワークサポーティングＰＭＳＣにリソース解放を確認し、そして、ＭＳは待機モードに入り、そして、ＭＳ内のＵ８−ＣＳＲ状態はＵ８−ＣＳＲ−ＩＤＬＥに変わる。
【０１０８】
４．リソースが、Ｕ８−ＣＳＲ接続確立において、および／またはトラフィック・チャネル割当中にリクエストされている場合、ＰＭＳＣは、ＰＣＲＦからのシグナリングベアラの修正を依頼することになる。ＰＭＳＣは、また、ユーザ・プレーンに対してそのように割り当てられている場合、第２のＰＤＰコンテキストを解放するように、ＰＣＲＦに依頼する場合がある。これは、ステップ２およびステップ３とは相関がない場合がある。
【０１０９】
５．ＰＣＲＦからの応答
６．ＭＳに割当られているシグナリングおよびユーザ・プレーンの接続リソースの全てが（例えば、ｌｕ解放完了として見られる可能性があるｌｕインタフェースにおいて）解放される。
【０１１０】
図１３は、１つの実施形態に従う暗号化設定フローを示している。暗号化設定のためのメッセージ・フローが示されている。用語、暗号化設定（ciphering configuration）は、通常、ＧＳＭ  ＣＳ動作に対して使用され、そして、ＵＭＴＳ  ＣＳ（およびＰＳ）動作に対して対応する用語は、セキュリティ・モード・コマンドである。
【０１１１】
１．２４．００８オーバ３ＧＰＰ  ＰＳネットワークサポーティングＰＭＳＣは、Ｕ８−ＣＳＲ  ＣＩＰＨＥＲＩＮＧ  ＭＯＤＥ  ＣＯＭＭＡＮＤをＭＳに送信する。このメッセージは、完全性保護および暗号化設定を示している（すなわち、このメッセージは、ＣＳドメイン・モードへのハンドオーバ／再配置後に適用できる場合がある）。ＭＳは、ＣＳドメイン・モードへのハンドオーバ／再配置後に、今後ありうる使用に備えて、その情報を記憶する。メッセージは、また、ＭＳが、Ｕ８−ＣＳＲ  ＣＩＰＨＥＲＩＮＧ  ＭＯＤＥ  ＣＯＭＰＬＥＴＥメッセージにＩＭＥＩＳＶを含めることになるかどうかを示す場合がある。
【０１１２】
２．ＭＳは、それから、Ｕ８−ＣＳＲ  ＣＩＰＨＥＲＩＮＧ  ＭＯＤＥ  ＣＯＭＰＬＥＴＥメッセージをネットワークに送信し、そして、Ｕ８−ＣＳＲ  ＣＩＰＨＥＲＩＮＧ  ＭＯＤＥ  ＣＯＭＭＡＮＤ内にそのように示されている場合、ＩＭＥＩＳＶを含める。
【０１１３】
Ｕ８−ＣＳＲ−ＤＥＤＩＣＡＴＥＤ状態におけるＣＳシグナリングが、図１４および図１５に示されている。図１４は、ダウンリンク方向で、すなわち、ＰＭＳＣからＭＳへの、１つの実施形態に従うネットワーク始動回線交換シグナリングを示している。
【０１１４】
１．２４．００８オーバ３ＧＰＰ  ＰＳネットワークサポーティングＰＭＳＣは、ＮＡＳ／レイヤ３メッセージを、ＭＳに送信されるＵ８−ＣＳＲ  ＤＬ  ＤＩＲＥＣＴ  ＴＲＡＮＳＦＥＲメッセージの中にカプセル化する。
【０１１５】
図１５は、アップリンク方向で、すなわち、ＭＳからＰＭＳＣへの、１つの実施形態に従う移動局始動回線交換シグナリングを示している。
【０１１６】
１．ＭＳ始動シグナリングに対して、ＭＳ  Ｕ８−ＣＳＲレイヤは、、アップリンクＮＡＳシグナリングメッセージまたはＳＭＳメッセージを転送するリクエストをＮＡＳレイヤから受信する。ＭＳ  Ｕ８−ＣＳＲは、そのメッセージを、Ｕ８−ＣＳＲ  ＵＬ  ＤＩＲＥＣＴ  ＴＲＡＮＳＦＥＲメッセージの中にカプセル化し、そして、そのメッセージを２４．００８オーバ３ＧＰＰ  ＰＳネットワークサポーティングＰＭＳＣに送信する。
【図１】
2010516137.tif 000002
【図２】
2010516137.tif 000003
【図３】
2010516137.tif 000004
【図４】
2010516137.tif 000005
【図５】
2010516137.tif 000006
【図６】
2010516137.tif 000007
【図７】
2010516137.tif 000008
【図８】
2010516137.tif 000009
【図９】
2010516137.tif 000010
【図１０】
2010516137.tif 000011
【図１１】
2010516137.tif 000012
【図１２】
2010516137.tif 000013
【図１３】
2010516137.tif 000014
【図１４】
2010516137.tif 000015
【図１５】
2010516137.tif 000016
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
移動局に対するドメイン・モードを判定する方法であって、
前記移動局は、ロング・ターム・エボリューション無線アクセスネットワークを介して、パケット交換コアネットワークへアクセスし、
パケット移動交換局は、前記パケット交換コアネットワークと回線交換コアネットワークとをインタフェースし、
前記方法は、
第１のドメイン・モードを判定するステップと、
所定のロービング基準に従って、前記第１のドメイン・モードから第２のドメイン・モードへローブするかどうかを判定するステップとを備え、
前記ローブするかどうかを判定するステップは、現在の呼、ロケーションエリア、ルーティングエリア、あるいはトラフィックエリアがドメイン・モードの変更を必要としているかどうかを判定し、
前記第１のドメイン・モードと前記第２のドメイン・モードは、回線交換ドメイン・モードと２４．００８オーバ３ＧＰＰパケット交換ネットワークモードを備える
ことを特徴とする方法。
【請求項２】
前記ローブするかどうかを判定するステップは、前記パケット移動交換局によって実行される
ことを特徴とする請求項１に記載の方法。
【請求項３】
前記ローブするかどうかを判定するステップは、前記移動局がルーティングエリア間を移動する場合に実行される
ことを特徴とする請求項２に記載の方法。
【請求項４】
前記移動局は、Ｕ８−ＣＳＲプロトコルのシグナリングを使用して、前記パケット移動交換局と接続する
ことを特徴とする請求項３に記載の方法。
【請求項５】
前記移動局は、Ｕ８−ＣＳＲ  ＫＥＥＰ  ＡＬＩＶＥメッセージを、前記パケット移動交換局へ定期的に送信しながら、前記移動局は、２４．００８オーバ３ＧＰＰパケット交換ネットワークモードで動作する
ことを特徴とする請求項４に記載の方法。
【請求項６】
前記移動局は、
前記移動局が、確立要因を含むＵ８−ＣＳＲ  ＲＥＱＵＥＳＴメッセージを、前記パケット移動交換局へ送信するステップと、
前記確立要因によって要求される場合に、前記パケット移動交換局が、ポリシー及び課金ルール機能から、前記シグナリングのベアラの修正をリクエストするステップと、
前記パケット移動交換局が、受諾を前記移動局へ返信するステップと
を介して、前記パケット移動交換局と接続する
ことを特徴とする請求項４に記載の方法。
【請求項７】
前記移動局は、
前記パケット移動交換局が、前記移動局に割当られている、前記シグナリングとユーザ・プレーン接続リソースとを解放することを決定するステップと、
前記パケット移動交換局が、前記シグナリングとユーザ・プレーン接続リソースとを解放することを前記移動局に指令するＵ８−ＣＳＲ  ＲＥＬＥＡＳＥメッセージを、前記移動局へ送信するステップと、
前記移動局が、Ｕ８−ＣＳＲ  ＲＥＬＥＡＳＥ  ＣＯＭＰＬＥＴＥメッセージを前記パケット移動交換局へ送信するステップと、
前記移動局が、アイドルモードに入るステップと
を介して、前記パケット移動交換局との接続を解放する
ことを特徴とする請求項４に記載の方法。
【請求項８】
前記パケット移動交換局が、ポリシー及び課金ルール機能から、前記シグナリングのベアラの修正をリクエストするステップと、
前記ユーザ・プレーンに対して割当られている場合に、前記パケット移動交換局が、セカンダリＰＤＰコンテキストの解放をリクエストするステップと
を更に備えることを特徴とする請求項７に記載の方法。
【請求項９】
前記パケット移動交換局が、完全性保護及び暗号化設定を示すＵ８−ＣＳＲ  ＣＩＰＨＥＲＩＮＧ  ＭＯＤＥ  ＣＯＭＭＡＮＤメッセージを前記移動局へ送信するステップと、
前記移動局が前記回線交換ドメイン・モードへローブする場合の使用のために、前記完全性保護及び前記暗号化設定を記憶するステップと
を更に備えることを特徴とする請求項４に記載の方法。
【請求項１０】
前記移動局と前記パケット移動交換局は、Ｕ８−ＣＳＲ−ＤＥＤＩＣＡＴＥＤモードで回線交換シグナリングを利用し、前記パケット移動交換局は、前記移動局へ送信されるＵ８−ＣＳＲ  ＤＬ  ＤＩＲＥＣＴ  ＴＲＡＮＳＦＥＲメッセージの中にＮＡＳ／レイヤ３メッセージをカプセル化する
ことを特徴とする請求項４に記載の方法。
【請求項１１】
前記移動局と前記パケット移動交換局は、Ｕ８−ＣＳＲ−ＤＥＤＩＣＡＴＥＤモードで回線交換シグナリングを利用し、前記移動局は、前記パケット移動交換局へ送信されるＵ８−ＣＳＲ  ＤＬ  ＤＩＲＥＣＴ  ＴＲＡＮＳＦＥＲメッセージの中に、ＮＡＳメッセージあるいはＳＭＳメッセージをカプセル化する
ことを特徴とする請求項４に記載の方法。
【請求項１２】
前記ローブするかどうかを判定するステップは、前記移動局によって実行される
ことを特徴とする請求項１に記載の方法。
【請求項１３】
前記移動局は、事前にプロビジョンされている選択基準を有している
ことを特徴とする請求項１２に記載の方法。
【請求項１４】
前記移動局は、前記ロービング基準をダウンロードする
ことを特徴とする請求項１２に記載の方法。
【請求項１５】
無線アクセスのタイプが、どのモードを選択すべきかを前記移動局に指示する
ことを特徴とする請求項１に記載の方法。
【請求項１６】
前記無線アクセスのタイプによる指示は、システム情報メッセージ内のパラメータを使用して提供される
ことを特徴とする請求項１５に記載の方法。
【請求項１７】
前記ローブするかどうかを判定するステップは、前記パケット交換コアネットワークによって実行される
ことを特徴とする請求項１に記載の方法。
【請求項１８】
前記ローブするかどうかを判定するステップは、３ＧＰＰパケット交換コアネットワークによって実行される
ことを特徴とする請求項１７に記載の方法。
【請求項１９】
移動局に対するパケット移動交換局のディスカバリを行なう方法であって、
前記移動局によって、現在のセルのセル識別子に基づいて、完全修飾ドメインネームを導出するステップと、
前記完全修飾ドメインネームを、クエリーで、ドメインネームシステムサーバへ送信するステップと、
前記完全修飾ドメインネームに基づいて、前記ドメインネームシステムサーバから、パケット移動交換局のＩＰアドレスを受信するステップと
を備えることを特徴とする方法。
【請求項２０】
前記移動局によって受信されるオペレータ特定ストリングと、前記現在のセルの前記セル識別子は、前記完全修飾ドメインネームを導出するために使用される
ことを特徴とする請求項１９に記載の方法。
【国際調査報告】
2010516137.tif 000017
2010516137.tif 000018